(57)【特許請求の範囲】
【請求項１】
上流端が給水回路に接続される給水配管接続口となった冷水回路と、
上流端が温水供給装置からの温水が流れる上流側温水回路に接続される温水配管接続口となった温水回路と、
前記冷水回路と前記温水回路が合流する合流点からその下流側の給湯器接続口に繋がり且つ混合水温センサが設けられた混合水回路と、
前記合流点に於ける前記冷水と温水との混合割合を調節する湯水混合器を具備し、
前記混合水温センサの検知温度が設定温度になるように前記湯水混合器の動作を制御する給湯器用湯水混合ユニットに於いて、
前記湯水混合器は、前記冷水回路を流れる冷水の流量を調節する為の冷水量調節器と、前記冷水量調節器と独立制御が可能で且つ前記温水回路を流れる温水の流量を調節する為の温水量調節器とを備えており、
前記混合水温センサの検知温度が設定温度になるまで前記冷水量調節器と温水量調節器の何れか一方のみの動作を制御する制御手段と、
前記冷水量調節器が故障した場合に冷水側故障信号を出力する一方前記温水量調節器が故障した場合には温水側故障信号を出力する異常監視手段が設けられ、
前記制御手段は、前記異常監視手段から前記温水側故障信号が出力されている場合は前記冷水量調節器のみの動作を制御する一方、
前記異常監視手段から前記冷水側故障信号が出力されている場合は前記温水量調節器のみの動作を制御する、給湯器用湯水混合ユニット。
【請求項２】
請求項１に記載の給湯器用湯水混合ユニットに於いて、
前記冷水量調節器は、前記冷水回路の開度を調節する冷水調節弁と該冷水調節弁を開閉駆動する第１パルスモータを備えており、
前記温水量調節器は、前記温水回路の開度を調節する温水調節弁と該温水調節弁を開閉駆動する第２パルスモータを備えている、給湯器用湯水混合ユニット。
【発明の詳細な説明】
【０００１】
【発明の属する技術分野】
本発明は、例えば太陽熱温水器等の自然エネルギーを利用した温水供給装置や、各種廃熱を利用した温水供給装置を給湯器に接続する為の給湯器用湯水混合ユニットに関するものである。
【０００２】
【従来の技術】
太陽熱温水器は、天候等により目的温度の温水が取り出せない為に、給湯器を補助熱源として接続してエネルギー資源の有効利用が図れるようにした給湯システムがあり、該給湯システムに使用される給湯器としては、例えば特開２０００−２４１０２１号公報に開示された図６に示す如き概略構成を有するものがある。
【０００３】
太陽熱温水器(91)からの温水が流れる上流側温水回路(92)と水道配管からの冷水が流れる給水回路(93)は湯水混合器(94)に接続されていると共に、該湯水混合器(94)の下流側の混合水回路(89)はガスバーナ(96)で加熱される熱交換器(97)に繋がっている。
【０００４】
上記湯水混合器(94)は図７に示すように構成されており、混合器本体(98)に貫設されたＴ字状通水路の合流点に配設されたボール弁(99)がサーボパルスモータ(95)の出力軸(88)で回動されるようになっている。従って、前記ボール弁(99)の回動角度を調節すると、上流側温水回路(92)からの温水と給水回路(93)からの冷水の混合割合が調節されてその混合水が混合水回路(89)から熱交換器(97)に供給される。
【０００５】
このものでは、太陽熱温水器(91)に高温水が貯留されている条件下で給湯動作が開始すると、混合水回路(89)に設けられた温度センサ（図示せず）の検知温度が上記設定温度に等しくなるようにボール弁(99)の回動角度が調節される一方、ガスバーナ(96)が消火状態に維持される。これにより、湯水混合器(94)から混合水回路(89)に供給される上記設定温度の混合水が、熱交換器(97)で加熱昇温されることなくそのまま給湯場所に給湯される。
【０００６】
一方、太陽熱温水器(91)内の温水が上記設定温度より低い条件下で給湯動作が開始すると、湯水混合器(94)から熱交換器(97)に供給される混合水がガスバーナ(96)で加熱昇温され、これにより設定温度の温水が給湯場所に供給される。
【０００７】
しかしながら、上記のものでは、単一のボール弁(99)の回動によって混合水の温度を調節する湯水混合器(94)が採用されていることから、例えば前記ボール弁(99)がバルブシート部に固着して回動不能状態に陥ると、前記湯水混合器(94)で設定温度の混合水を作ることができなくなる。従って、上流側温水回路(92)からの温水の混合割合が最大になっている状態で前記ボールバルブ(99)が固着すると、湯水混合器(94)から高温水が流出する危険があることから、これを防止する必要がある。その為、上記のものでは前記ボール弁(99)の固着により故障した湯水混合器(94)の吐出部を直ちに遮断する安全機構を組み込まなければならないと共に、この状態で湯水混合器(94)の修理が完了するまでの給湯を可能にするためには熱交換器(97)へ水道水を直接給水できる配管に切り替えられる構成にし、これにより、太陽熱温水器(91)を使用しない通常の給湯器として使用出来るようにしなければならないという問題がある。
【０００８】
又、上記湯水混合器(94)は、上流側温水回路(92)側の開度と給水回路(93)側の開度比率しか設定できないことから、給水回路(93)側を全開にしても設定温度の混合水が得られる程の高温水が太陽熱温水器(91)に貯留されている場合でも、上流側温水回路(92)側の開度分だけ給水回路(93)が絞られてしまう。従って、このような条件下でも給水回路(93)側を全開させることが出来ないことから、混合水の流量を十分に多くすることが出来ないという問題もある。
【０００９】
なお、上記に於いては、湯水混合器(94)が給湯器本体(87)に組み込まれている場合を例示してこれの問題点を説明したが、太陽熱温水器(91)と給湯器本体とを接続する為の独立した給湯器用湯水混合ユニットを構成し、該給湯器用湯水混合ユニットに湯水混合器(94)を内蔵させる場合であっても、上記と同一構成の湯水混合器(94)を採用する限り上記と同様の問題がある。
【００１０】
【発明が解決しようとする課題】
本願発明はかかる点に鑑みて成されたもので、
湯水混合器(94)の動作が不正常な状態に陥った場合には、故障修理を行うまでの間でも太陽熱温水器(91)等の温水供給装置を利用した暫定的な給湯を可能にしたり、又、混合水の流量を大きくできる構成の給湯器用湯水混合ユニットを提供することをその課題とする。
【００１２】
【課題を解決するための手段】
［請求項１に係る発明］
上記課題を解決するための請求項１に係るの発明の技術的手段は、
『上流端が給水回路に接続される給水配管接続口となった冷水回路と、
上流端が温水供給装置からの温水が流れる上流側温水回路に接続される温水配管接続口となった温水回路と、
前記冷水回路と前記温水回路が合流する合流点からその下流側の給湯器接続口に繋がり且つ混合水温センサが設けられた混合水回路と、
前記合流点に於ける前記冷水と温水との混合割合を調節する湯水混合器を具備し、
前記混合水温センサの検知温度が設定温度になるように前記湯水混合器の動作を制御する給湯器用湯水混合ユニットに於いて、
前記湯水混合器は、前記冷水回路を流れる冷水の流量を調節する為の冷水量調節器と、前記冷水量調節器と独立制御が可能で且つ前記温水回路を流れる温水の流量を調節する為の温水量調節器とを備えており、
前記混合水温センサの検知温度が設定温度になるまで前記冷水量調節器と温水量調節器の何れか一方のみの動作を制御する制御手段と、
前記冷水量調節器が故障した場合に冷水側故障信号を出力する一方前記温水量調節器が故障した場合には温水側故障信号を出力する異常監視手段が設けられ、
前記制御手段は、前記異常監視手段から前記温水側故障信号が出力されている場合は前記冷水量調節器のみの動作を制御する一方、
前記異常監視手段から前記冷水側故障信号が出力されている場合は前記温水量調節器のみの動作を制御する』ことである。
【００１３】
上記技術的手段は次のように作用する。
冷水回路を流れる冷水の流量を調節する冷水量調節器、又は、温水回路を流れる温水の流量を調節する温水量調節器の、いずれか一方のみを動作させると、該動作量に応じて前記冷水又は温水の流量が変化し、これにより、混合水に於ける冷水と温水の混合割合が変化する。そこで、上記制御手段は、温水回路の合流点の下流側に設けられた混合水温センサの検知する混合水の温度と設定温度が等しくなるように、冷水量調節器と温水量調節器を制御する。これにより、前記設定温度に調節された混合水が湯水混合器から流出し、これが給湯器接続口からこれに配管接続される給湯器に供給される。
【００１４】
従って、上記技術的手段によれば、冷水量調節器又は温水量調節器の何れか一方が故障している場合でも、故障していない他方の温水量調節器又は冷水量調節器を動作させることによって、混合水の温度を設定温度に調節することができる。従って、湯水混合器の修理を行うまでの間に於いても、温水供給装置を利用した暫定的な給湯を行うことができる。
又、湯水混合器が正常な場合は冷水又は温水の何れか一方を最大流量に固定した状態で混合水の温度調節をする制御が可能となるから、温水と冷水の混合割合しか調節できない既述湯水混合器に比べて混合水の流量を大きくできる。
【００１５】
[２項]
前記１項に於いて、
『前記冷水量調節器は、前記冷水回路の開度を調節する冷水調節弁と該冷水調節弁を開閉駆動する第１パルスモータを備えており、
前記温水量調節器は、前記温水回路の開度を調節する温水調節弁と該温水調節弁を開閉駆動する第２パルスモータを備えている』ものでは、制御手段で第１，第２パルスモータを制御すると、該第１，第２パルスモータで駆動される冷水調節弁と温水調節弁の開度が変化し、これにより、混合水の温度調節をすることができる。
【００２７】
【発明の効果】
本願発明は次の特有の効果を有する。
請求項１の発明に係る給湯器用湯水混合ユニットは、冷水量調節器又は温水量調節器の何れか一方が故障した場合でも他方を制御することにより温水供給装置を利用した暫定的な給湯動作が可能になる。又、温水若しくは冷水を最大流量に固定するから、温水と冷水の混合割合しか調節できない既述湯水混合器に比べて、多量の混合水を供給することが出来る。
【００３１】
【発明の実施の形態】
次に、上記した本発明の実施の形態を図面に従って詳述する。
図１は、本発明の実施の形態に係る給湯器用湯水混合ユニット(1)を用いた給湯システムの概念図であり、既述発明特定事項たる温水供給装置としての太陽熱温水器(5)は給湯器用湯水混合ユニット(1)を介して給湯器(7)に配管接続されている。以下、各部の詳細を説明する。
【００３２】
[太陽熱温水器(5)について]
太陽熱温水器(5)は、太陽熱を吸収する集熱器(50)と貯湯タンク(51)内とを循環するように形成された蓄熱配管(52)を具備しており、該蓄熱配管(52)にはホッパ(53)と循環ポンプ(54)が配設されている。
又、貯湯タンク(51)の底部には水道配管から冷水を供給するソーラ用給水管(55)と水抜栓(57)を具備する水抜回路(58)が接続されていると共に、貯湯タンク(51)の頂部からは上流側温水回路(56)が引き出されている。
【００３３】
[給湯器(7)について]
給湯器(7)は、図示しないガスバーナで加熱される熱交換器が内蔵された給湯器本体(70)と、該給湯器本体(70)に電気接続されたリモコン装置(71)を備えていると共に、該リモコン装置(71)には、運転スイッチ(72)と、浴槽(81)に湯張りする際に操作する湯張りスイッチ(73)と湯温設定器(75)と、更に、給湯器の運転状態を表示する表示部(74)が形成されている。
又、給湯器本体(70)と浴槽(81)との間は、湯張り及び追焚きに使用される往き管(82)と戻り管(83)で接続されていると共に、更に、給湯器本体(70)から引き出された給湯回路(84)には出湯蛇口(85)が設けられている。
【００３４】
[給湯器用湯水混合ユニット(1)について]
本発明の対象たる給湯器用湯水混合ユニット(1)には、上記太陽熱温水器(5)からの温水が流れる上流側温水回路(56)が接続される温水配管接続口(16)と、既述ソーラ用給水管(55)から分岐した給水回路(10)が接続される給水配管接続口(17)と、更に、給湯器本体(70)の水入口(77)に接続される給湯器接続口(18)が設けられている。
【００３５】
上記温水配管接続口(16)の下流側に形成された温水回路(14)には、バキュームブレーカ(12)と、逆止弁(13)と、更に、湯温センサ(19)が、この順序で上流側から配設されている。又、温水回路(14)の上流端近傍には、通水内の塵芥を除去する機能と回路の排水機能を兼備した水抜栓(21)が設けられている。
【００３６】
一方、冷水回路(15)には、逆止弁(22)と給水温センサ(23)と更に湯水混合器(20)がこの順序で配設されていると共に、該湯水混合器(20)は、温水回路(14)と冷水回路(15)の合流点に配設された温水量調節器(25)とその上流側に於ける冷水回路(15)内に配設された冷水量調節器(24)とから構成されている。そして、上記冷水量調節器(24)と温水量調節器(25)は、これらに対応する第１，第２パルスモータ(240)(250)の回転によって先端に設けられた弁体(241)(251)（既述発明特定事項の冷水調節弁と温水調節弁に対応する）を弁口(26)(27)に接離させ、これによって、弁口(26)(27)の開度を変化させて流量調節するように構成されている。又、図２に示すように、冷水量調節器(24)と温水量調節器(25)の夫々の弁軸(242)(252)に設けられたフランジ(243)(253)は、これら冷水量調節器(24)と温水量調節器(25)が全開状態になったことを検知する全開リミットスイッチ(244)(254)に当接するようになっている。又、全閉状態にある冷水量調節器(24)のフランジ(243)が当接する全閉リミットスイッチ(249)が設けられている。
【００３７】
又、上記冷水回路(15)に設けられた給水温センサ(23)と湯水混合器(20)の間から引き出されたバイパス回路(28)は前記合流点の下流側に位置する混合水回路(29)に接続されている。そして、このバイパス回路(28)には、該バイパス回路(28)を開閉する為の常開電磁弁(31)が設けられていると共に、上記混合水回路(29)には混合水の流量を計測する水量センサ(32)と混合水温センサ(33)と過昇温検知センサ(34)と更に水抜き栓(35)が設けられており、該水抜き栓(35)は上記混合水回路(29)等の水圧が過剰上昇したときに開弁して圧力を開放する逃がし弁機能を兼備している。又、冷水回路(15)の上流端近傍には、通水の除塵機能と排水機能を兼備した水抜栓(30)が設けられている。
【００３８】
そして、図２に示すように、既述湯温センサ(19)，給水温センサ(23)，湯水混合器(20)の第１，第２パルスモータ(240)(250)等，常開電磁弁(31)，水量センサ(32) ，混合水温センサ(33)及び過昇温検知センサ(34)等の電気部品は制御装置(11)に電気接続されていると共に、該制御装置(11)には、給湯器本体(70)と信号を送受信する為の通信ケーブル(79)が接続されており、該制御装置(11)によって、湯水混合器(20)の動作が制御されるようになっている。
【００３９】
[給湯動作の実際]
次に、上記給湯システムの動作を説明する。
給湯器用湯水混合ユニット(1)に組み込まれた制御装置(11)には、図３，図４のフローチャートで示す内容の制御動作を実行するマイクロコンピュータが格納されており、以下、本実施の形態に係る給湯システムの動作を図３，図４のフローチャートに従って説明する。
【００４０】
先ず、給湯器(7)のリモコン装置(71)に設けられた運転スイッチ(72)が操作されたか否かを示す信号が給湯器本体(70)から通信ケーブル(79)を介して給湯器用湯水混合ユニット(1)の制御装置(11)に送信されるのをステップ(ST1)で監視する。
【００４１】
次に、水量センサ(32) が検知する混合水の流量Ｑが基底流量（本実施の形態では、２リットル／分）を超えたか否かがステップ(ST2)で判断される。そして、出湯蛇口(85)の開放操作や湯張りスイッチ(73)の投入によって前記基底流量を超える流量Ｑの混合水が流れている場合はステップ(ST3)で常開電磁弁(31)を閉じた後にステップ(ST4)〜(ST7)で冷水量調節器(24)を全開状態にする準備動作を実行する。即ち、冷水量調節器(24)の開度を増加させる信号を指令回路(246)（図２参照）から冷水量調節器(24)の第１パルスモータ(240)に印加する。そして、回転監視回路(245)（図２参照）から制御装置(11)に送信される前記第１パルスモータ(240)の回転量信号に基づいて冷水量調節器(24)が開度増加しているか否かをステップ(ST5)で判断すると共に、冷水量調節器(24)の弁軸(242)に設けられたフランジ(243)が全開リミットスイッチ(244)に当接して冷水量調節器(24)が全開状態になったことが確認できるまで（ステップ(ST6)参照）ステップ(ST4)〜(ST6)の動作を繰り返す。そして、ステップ(ST5)を実行したときに第１パルスモータ(240)の回転量信号が増加していないことが確認された場合は、冷水量調節器(24)に弁体(241)の固着等の故障が発生していると判断し、ステップ(ST7)で冷水弁故障フラグＦ2に“冷水量調節器(24)が故障”の情報を記憶させると共に、給湯器(7)の表示部(74)に修理警告の表示を行い、これにより、給湯器用湯水混合ユニット(1)に異常が発生していることを報知する。
【００４２】
次に、ステップ(ST8)〜(ST11)，(ST13)(ST14)の第１温調ルーチンを実行し、温水量調節器(25)のみの開度調節を行うことによって、混合水温センサ(33)が検知する混合水の温度が湯温設定器(75)でセットした設定温度に一致するように温水と冷水の混合割合を調節する。即ち、混合水温センサ(33)の検知温度が上記設定温度より低いことがステップ(ST8)で確認されると、ステップ(ST9)で温水量調節器(25)が全開状態にあるか否か（全開リミットスイッチ(254)がフランジ(253)で押されてＯＮ信号を出力しているか）を判断し、該温水量調節器(25)が全開状態にない場合はこれの開度を増加させる信号を指令回路(256)から温水量調節器(25)の第２パルスモータ(250)に印加する（ステップ(ST10)参照）。そして、図２に現れる回転監視回路(255)から制御装置(11)に送信される第２パルスモータ(250)の回転量信号に基づいて温水量調節器(25)が開度増加しているか否かをステップ(ST11)で判断し、該温水量調節器(25)が正常に開度増加している場合はステップ(ST8)に制御を戻す。一方、ステップ(ST8)を実行したときに混合水温センサ(33)の検知温度が上記設定温度より高いことが確認されると、ステップ(ST13)で温水量調節器(25)の開度を低下させる信号を指令回路(256)から温水量調節器(25)の第２パルスモータ(250)に印加する。そして、回転監視回路(255)を介して制御装置(11)で監視される第２パルスモータ(250)の回転量信号に基づいて温水量調節器(25)が開度低下しているか否かをステップ(ST14)で判断し、該温水量調節器(25)が正常に開度低下している場合はステップ(ST8)に制御を戻す。このようにステップ(ST8)〜(ST11)，(ST13)(ST14)の第１温調ルーチンを繰り返すことによって混合水温センサ(33)の検知温度が設定温度に等しくなるように温水量調節器(25)の開度を制御する。
【００４３】
このように、ステップ(ST4)〜(ST6)で冷水量調節器(24)を全開させた後に、ステップ(ST8)〜(ST11)，(ST13)(ST14)の第１温調ルーチンで温水量調節器(25)の開度調節を行うと、図５に示すように、冷水量調節器(24)を流れる冷水流量Ａが最大流量域Ａ1〜Ａ2に維持されると共に温水量調節器(25)を流れる温水流量Ｂが流量変化域Ｂ1〜Ｂ2に示す態様で増減する。従って、冷水量調節器(24)と温水量調節器(25)が共に半開状態に保たれる既述従来の湯水混合器を採用する場合に比べて混合水の流量Ｃが多くなる。
【００４４】
又、本実施の形態では、冷水量調節器(24)が故障している場合（ステップ(ST7)で冷水弁故障フラグＦ2に“冷水量調節器(24)が故障”の情報を記憶させている場合）でも、ステップ(ST8)〜(ST11)，(ST13)(ST14)の第１温調ルーチンで温水量調節器(25)の開度調節を行うことによって、湯水混合器(20)から流出する混合水の温度を調節することができるから、ステップ(ST7)でリモコン装置(71)に表示させた修理警告表示を見たユーザーが業者に修理を依頼するまでの間でも、暫定的に太陽熱温水器(5)の機能を使うことができる。
【００４５】
次に、上記第１温調ルーチン中のステップ(ST14)を実行したときに、温水量調節器(25)の弁体(251)が固着等の故障状態にあることが確認されると、ステップ(ST15)で温水弁故障フラグＦ1に“温水量調節器(25)が故障”の情報を記憶させると共に、リモコン装置(71)に修理警告表示を行わせる。その後、ステップ(ST16)で上記温水弁故障フラグＦ1と冷水弁故障フラグＦ2の内容から温水量調節器(25)と冷水量調節器(24)が共に故障状態にあると判断される場合は、ステップ(ST17)で所定のエラー処理を行うと共に常開電磁弁(31)を開弁させ、これにより、バイパス回路(28)から多量の冷水が給湯器本体(70)に供給できる状態にする。これにより、太陽熱温水器(5)が接続されていない場合と同様に給湯器(7)を作動させ得る状態にする。
【００４６】
又、冷水量調節器(24)が全開状態（全開リミットスイッチ(244)がＯＮ状態）にあり且つ温水弁故障フラグＦ1の内容が“温水量調節器(25)が故障”となっていることがステップ(ST18)で確認されると、ステップ(ST8)で設定温度より高温状態にあると判断された混合水の温度を設定温度まで温度低下させることができないことが分かるから、この場合もステップ(ST17)で所定のエラー処理を行うと共に常開電磁弁(31)を開弁させる。
【００４７】
一方、ステップ(ST18)に於いて、温水量調節器(25)が故障状態にあり冷水量調節器(24)は全開状態にないと判断されると、図４に示すステップ(ST20)〜(ST26)の第２温調ルーチンを実行し、冷水量調節器(24)のみの開度調節を行いながら混合水温センサ(33)が検知する混合水の温度が湯温設定器(75)でセットされた設定温度に一致するように温水と冷水の混合割合を調節する。即ち、混合水温センサ(33)の検知温度が上記設定温度より高いことがステップ(ST20)で確認されると、ステップ(ST24)で冷水量調節器(24)が全開状態にあるか否か（全開リミットスイッチ(244)がフランジ(243)で押されてＯＮ信号を出力しているか否か）を判断した後に全開状態にない場合はステップ(ST25)で冷水量調節器(24)の開度を増加させる信号を指令回路(246)から冷水量調節器(24)の第１パルスモータ(240)に印加する。そして、図２に現れる回転監視回路(245)から制御装置(11)に送信される第１パルスモータ(240)の回転量信号に基づいて冷水量調節器(24)が開度増加しているか否かをステップ(ＳＴ26)で判断し、該冷水量調節器(24)が正常に開度増加していることが確認できた場合は制御を(ST20)に戻す。
【００４８】
一方、ステップ(ST20)を実行したときに混合水温センサ(33)の検知温度がリモコン装置(71)の湯温設定器(75)でセットされた設定温度より低いことが確認されると、ステップ(ST21)で冷水量調節器(24)が全閉状態にあるか否か（全閉リミットスイッチ(249)がフランジ(243)で押されてＯＮ信号を出力しているか）を判断し、該冷水量調節器(24)が全閉状態にない場合はこれの開度を低下させる信号を指令回路(246)から冷水量調節器(24)の第１パルスモータ(240)に印加する（ステップ(ST22)参照）。そして、図２に現れる回転監視回路(245)から制御装置(11)に送信される第１パルスモータ(240)の回転量信号に基づいて冷水量調節器(24)が開度低下しているか否かをステップ(ST23)で判断し、該冷水量調節器(24)が正常に開度低下している場合は制御をステップ(ST20)に戻す。
【００４９】
このように、ステップ(ST20)〜(ST26)の第２温調ルーチンを繰り返すことによって混合水温センサ(33)の検知温度が設定温度に等しくなるように冷水量調節器(24)の開度を制御する。このように、本実施の形態では、温水量調節器(25)が故障している場合（ステップ(ST15)で温水弁故障フラグＦ1に“温水量調節器(25)が故障”の情報が書き込まれている場合）でも、正常動作する冷水量調節器(24)の開度を調節することにより、設定温度の混合水を湯水混合器(20)から取り出せることができる。
【００５０】
次に、上記第２温調ルーチン中のステップ(ST23)(ST26)で冷水量調節器(24)の弁体(241)が固着等の故障を起こしていると判断されると、ステップ(ST27)で冷水弁故障フラグＦ2に“冷水量調節器(24)が故障”の情報を記憶させると共に、給湯器(7)の表示部(74)に修理警告表示を行い、これにより、給湯器用湯水混合ユニット(1)に異常が発生していることを報知する。そして、ステップ(ST28)で温水弁故障フラグＦ1と冷水弁故障フラグＦ2の内容を確認し、これら温水量調節器(25)と冷水量調節器(24)が共に故障していると判断される場合は、ステップ(ST29)で所定のエラー処理を行うと共に常開電磁弁(31)を開弁させる。
【００５１】
一方、ステップ(ST28)を実行したときに、冷水量調節器(24)は故障しているが温水量調節器(25)は正常であることが確認できると、該温水量調節器(25)の開度を制御することによって混合水を設定温度に調節する為の第１温調ルーチン（ステップ(ST8)〜(ST11)，(ST13)，(ST14)）に制御が戻される。
【００５２】
そして、太陽熱温水器(5)から供給される温水の温度（湯温センサ(19)の検知温度）が給湯器(7)の湯温設定器(75)でセットした設定温度未満にある場合は、以上のように温水混合器(20)を制御しても上記設定温度の温水が給湯器用湯水混合ユニット(1)から給湯器(7)に供給できないが、この場合は、給湯器用湯水混合ユニット(1)からの混合水が給湯器(7)で設定温度まで加熱昇温されて出湯蛇口(85)や浴槽(81)に給湯される。
【００５３】
尚、本実施の形態では、ステップ(ST5)，(ST11)，(ST14)，(ST23)及び(ST26)で冷水量調節器(24)や温水量調節器(25)が開度変化しているか否かを判断するマイクロコンピュータの機能部が既述発明特定事項としての異常監視手段に対応する。
【００５４】
尚、上記実施の形態では、ステップ(ST4)〜(ST6)で冷水量調節器(24)を強制的に全開状態にした後にステップ(ST8)〜(ST11)，(ST13)，(ST14)の第１温調ルーチンで温水量調節器(25)の開度調節を行うことによって設定温度の混合水を取り出すようにしたが、先ずステップ(ST4)〜(ST6)で温水量調節器(25)を全開状態にし、その後ステップ(ST20)〜(ST26)の第２温調ルーチンに制御を移行して冷水量調節器(24)の開度調節を行い、これにより、設定温度の混合水を湯水混合器(20)から流出させるようにしても良い。この場合は、温水量調節器(25)が全開状態に維持されるから、該温水量調節器(25)と冷水量調節器(24)が共に半開状態になる場合に比べて多量の混合水を給湯器(7)に供給することができる。
【００６１】
上記実施の形態では、温水供給装置として、自然エネルギーを利用した太陽熱温水器(5)を例示したが、該太陽熱温水器(5)以外に、各種の廃熱を利用した種々の温水供給装置を給湯器用湯水混合ユニット(1)に接続して使用することができる。
【図面の簡単な説明】
【図１】かっこ発明の実施の形態に係る給湯器用湯水混合ユニット(1)を組み込んだ給湯システムの概念図
【図２】給湯器用湯水混合ユニット(1)の制御回路の概略図
【図３】給湯器用湯水混合ユニット(1)の動作を説明するフローチャート
【図４】給湯器用湯水混合ユニット(1)の動作を説明するフローチャート
【図５】湯水混合器(20)で混合される温水と冷水の流量変化を示すグラフ
【図６】従来例を説明する給湯器の概略図
【図７】図６に現れる湯水混合器(94)の断面図
【符号の説明】
(1)・・・給湯器用湯水混合ユニット
(5)・・・太陽熱温水器
(10)・・・給水回路
(14)・・・温水回路
(15)・・・冷水回路
(16)・・・温水配管接続口
(17)・・・給水配管接続口
(18)・・・給湯器接続口
(20)・・・湯水混合器
(29)・・・混合水回路
(33)・・・混合水温センサ
(24)・・・冷水量調節器
(25)・・・温水量調節器
(56)・・・上流側温水回路
(240)・・・第１パルスモータ
(250)・・・第２パルスモータ
【図１】
0003728265.tif 000002
【図２】
0003728265.tif 000003
【図３】
0003728265.tif 000004
【図４】
0003728265.tif 000005
【図５】
0003728265.tif 000006
【図６】
0003728265.tif 000007
【図７】
0003728265.tif 000008